(57)【要約】  【課題】組み付け性のよい外気導入ダクトを提供する。  【解決手段】ダクト本体２と、ダクト本体２から突出形成されたレゾネータ接続部３と、レゾネータ接続部３に接続されるレゾネータ４と、を有する外気導入ダクト１において、レゾネータ４長手方向に対して直交する方向に沿ってレゾネータ接続部３とレゾネータ４との接続が行われるように、ダクト本体側接続端面６とレゾネータ側接続端面５とが形成され、レゾネータ接続部３とレゾネータ４とが両者間に跨って構成されたスナップフィット機構１０により互いに連結されていると共に、ダクト本体側接続端面６とレゾネータ側接続端面５のいずれか一方の端面の全周に亙って突起部１３が形成され、他方の端面の全周に亙って突起部１３を収容保持する凹部１４が形成されている。  【選択図】  図２
2007211622.tif 000002
【特許請求の範囲】
【請求項１】
一端がエアクリーナに接続され、他端が空気取り入れ口として開口する略筒状のダクト本体と、ダクト本体から突出形成されたレゾネータ接続部と、レゾネータ接続部に接続されるレゾネータと、を有する外気導入ダクトにおいて、
レゾネータ長手方向に対して直交する方向に沿ってレゾネータ接続部とレゾネータとの接続が行われるように、レゾネータ接続部とレゾネータとの接続部分に、ダクト本体側接続端面とレゾネータ側接続端面とが形成され、
ダクト本体側接続端面とレゾネータ側接続端面とが互いに当接した状態で、レゾネータ接続部とレゾネータとが両者間に跨って構成されたスナップフィット機構により互いに連結されていると共に、
ダクト本体側接続端面とレゾネータ側接続端面のいずれか一方の端面の全周に亙って突起部が形成され、他方の端面の全周に亙って突起部を収容保持する凹部が形成されていることを特徴とする外気導入ダクト。
【発明の詳細な説明】
【技術分野】
【０００１】
本発明は、内燃機関に空気を導入する外気導入ダクトに関する。
【背景技術】
【０００２】
特許文献１に開示された吸気ダクトは、射出成形により成形された２つの分割体からなり、一方の分割体には嵌合枠が設けられ、他方の分割体には嵌合枠に対応する嵌合爪が設けられ、嵌合爪を嵌合枠に圧入することにより２つの分割体が接合されて吸気ダクトとなっている。
【特許文献１】特開２００２−１０６４３１号公報
【発明の開示】
【発明が解決しようとする課題】
【０００３】
しかしながら、このように射出成形された２つの分割体で吸気ダクトを構成するようにした場合、レゾネータに相当する部分も２つの分割体に含まれることになるため、分割、接合された部分から空気が漏れてしまい、レゾネータとしての密封性が十分確保できず消音性能の低下をもたらす虞がある。
【０００４】
また、レゾネータをブロー成形し、エンジンルーム内で後から吸気ダクトに取り付けるような場合には、レイアウト上の制約から取り付けが困難となる虞がある。
【課題を解決するための手段】
【０００５】
そこで、本発明は、一端がエアクリーナに接続され、他端が空気取り入れ口として開口する略筒状のダクト本体と、ダクト本体から突出形成されたレゾネータ接続部と、レゾネータ接続部に接続されるレゾネータと、を有する外気導入ダクトにおいて、レゾネータ長手方向に対して直交する方向に沿ってレゾネータ接続部とレゾネータとの接続が行われるように、レゾネータ接続部とレゾネータとの接続部分に、ダクト本体側接続端面とレゾネータ側接続端面とが形成され、ダクト本体側接続端面とレゾネータ側接続端面とが互いに当接した状態で、レゾネータ接続部とレゾネータとが両者間に跨って構成されたスナップフィット機構により互いに連結されていると共に、ダクト本体側接続端面とレゾネータ側接続端面のいずれか一方の端面の全周に亙って突起部が形成され、他方の端面の全周に亙って突起部を収容保持する凹部が形成されていることを特徴としている。
【発明の効果】
【０００６】
本発明によれば、レゾネータと外気導入ダクトとの接続部分におけるシール性を向上させることができる。また、レゾネータ長手方向に対して直交する方向に沿って外気導入ダクトとレゾネータとの接続が行われるため、レイアウトスペースの制限されるエンジンルーム内であっても、外気ダクトの凹部（または突部）に対してレゾネータの突起部（凹部）が組み付け時のガイドとしても活用することができ、外気導入ダクトに対してレゾネータを確実にしかも容易に接続することができる。
【発明を実施するための最良の形態】
【０００７】
本発明の一実施形態を図面に基づいて詳細に説明する。
【０００８】
図１〜図４に示すように、外気導入ダクト１は、略筒状のダクト本体２と、ダクト本体２から突出形成されたレゾネータ接続部３と、レゾネータ接続部３に接続されるダクト本体２とは別体のレゾネータ４と、を有している。
【０００９】
樹脂製のダクト本体２及び樹脂製のレゾネータ４は、射出成形もしくはブロー成形により成形されている。
【００１０】
ダクト本体２は、一端がエアクリーナ（図示せず）に接続され、他端が空気取り込み口として大気に開口するよう形成されている。
【００１１】
レゾネータ４は、レゾネータ接続部３と接続される一端側にレゾネータ側接続端面５が形成されている。
【００１２】
レゾネータ接続部３は、その先端に、レゾネータ４のレゾネータ側接続端面５が当接するダクト本体側接続端面６が形成されている。
【００１３】
尚、レゾネータ接続部３は、機能的には、レゾネータ４を構成するものであり、本実施形態においては、レゾネータ４の通路断面積と、レゾネータ接続部３の通路断面積は、同一にとなるよう設定されている。
【００１４】
ダクト本体側接続端面６及びレゾネータ側接続端面５は、レゾネータ４長手方向に対して略直交する方向に沿ってレゾネータ接続部３とレゾネータ４との接続が行われるように形成されている。
【００１５】
つまり、ダクト本体側接続端面６及びレゾネータ側接続端面５は、レゾネータ４あるいはレゾネータ接続部３の通路方向（軸中心方向）に沿って所定長さを有する接続平面部７を有するよう形成されている。
【００１６】
詳述すると、本実施形態においては、ダクト本体側接続端面６及びレゾネータ側接続端面５は、それぞれレゾネータ４中心軸線を含む平面上に位置してレゾネータ４長手方向に沿った接続平面部７を有するよう形成されている。
【００１７】
また、レゾネータ側接続端面５は、互いに平行な２本の接続平面部７，７の一端側が略半円形状のダクト本体側端部８により連続し、互いに平行な２本の接続平面部７，７の他端側が略半円形状のレゾネータ側端部９により連続し、全体として環状の連続した面が構成されている。ダクト本体側接続端面６においても、上述したレゾネータ側接続端面５と略同様の構成となっており、全体として環状の連続した面が構成されている。
【００１８】
レゾネータ接続部３とレゾネータ４とは、レゾネータ接続部３とレゾネータ４との両者間に跨って構成されたスナップフィット機構１０により互いに連結されている。
【００１９】
スナップフィット機構１０は、具体的には、レゾネータ接続部４の接続平面部７の位置に対応して形成された係止爪１１と、レゾネータ４の接続平面部７の位置に対応する側面からレゾネータ４半径方向に突出形成された係合枠１２とから構成され、係合枠１２に対となる係止爪１１を挿入し係合させることで、レゾネータ接続部３とレゾネータ４とを連結している。
【００２０】
係合枠１２に対する係止爪１１の挿入方向、すなわちスナップフィット機構１０の締結方向は、レゾネータ４長手方向に対して略直交するように設定されている。
【００２１】
係止爪１１は、対応する係合枠１２に挿入され係止されると、レゾネータ側接続端面５とダクト本体側接続端面６とが密着した状態となり、レゾネータ４がダクト本体２に固定される。
【００２２】
また、本実施形態においては、レゾネータ側接続端面５には、その全周に亙って突起部１３が形成されている。この突起部１３は、スナップフィット機構１０の締結方向（図２の上下方向）に沿って突出するよう形成されている。
【００２３】
そして、ダクト本体側接続端面６には、図４に示すように、突起部１３を収容保持する凹部１４が全周に亙って形成されている。
【００２４】
このような本実施形態においては、レゾネータ側接続端面５に、全周に亙って突起部１３が形成され、ダクト本体側接続端面６に、突起部１３を収容保持する凹部１４が全周に亙って形成されているので、レゾネータ４とレゾネータ接続部３との間のシール性を向上させることができる。特に、突起部１３の突出方向が、スナップフィット機構１０によるレゾネータ４とレゾネータ接続部３との締結方向と一致しているので、レゾネータ４とレゾネータ接続部３との間のシール性を一層向上させることができる。
【００２５】
また、レゾネータ４長手方向に対して直交する方向に沿ってダクト本体２とレゾネータ４との接続が行われるため、例えば、この接続される方向を天地方向とした場合には、レイアウトスペースの制限されるエンジンルーム内であっても、ダクト本体２のレゾネータ接続部３に形成された凹部１４に対してレゾネータ４の突起部１３が組み付け時のガイドとしても働き、確実にしかも容易に接続固定することができる。
【００２６】
尚、上述した実施形態においては、レゾネータ側接続端面５に突起部１３が形成され、ダクト本体側接続端面６に凹部１４が形成されているが、レゾネータ側接続端面５に凹部を形成し、ダクト本体側接続端面６に突起部を形成するようにしてもよい。
【図面の簡単な説明】
【００２７】
【図１】本発明に係る外気導入ダクトの要部斜視図。
【図２】本発明に係る外気導入ダクトの要部分解斜視図。
【図３】本発明に係る外気導入ダクトの要部の拡大図。
【図４】本発明に係る外気導入ダクトの要部断面図。
【符号の説明】
【００２８】
１…外気導入ダクト
２…ダクト本体
３…レゾネータ接続部
４…レゾネータ
１１…係止爪
１２…係合枠
１３…突起部
１４…凹部
【図１】
2007211622.tif 000003
【図２】
2007211622.tif 000004
【図３】
2007211622.tif 000005
【図４】
2007211622.tif 000006